(57)【要約】【課題】通常の押しボタン操作では各々の接点が同時メークすることのない押しボタンスイッチ構造を提供する。【解決手段】一つの押しボタンに４つのメーク接点３，４，５，６が十字形に沿う方向にそれぞれ配置されている。押しボタンの裏側には、その押しボタンを押したときに４つのメーク接点が接になる直前にその押しボタンの押し下げストロークを制限するストッパとして機能する突出ブロック２が配置されている。突出ブロック２には、仮想矩形２ｃの４頂点にそれぞれ位置する４つの突出部ａ１２，ａ１４，ａ２３，ａ３４；ｂ１，ｂ２，ｂ３，ｂ４が、その４つの突出部の対向面に対して、当該押しボタンスイッチ構造における等しい押し下げストロークを許容するように配置され、その４つの突出部の各々と４つのメーク接点３，４，５，６のうちの当該突出部に近接する２つとの距離が相異なるように構成されている。【選択図】　　　図１
2004063298.tif 000002
【特許請求の範囲】
【請求項１】
一つの押しボタンに４つのメーク接点が十字形に沿う方向にそれぞれ配置された押しボタンスイッチ構造であって、
前記押しボタンの裏側には、該押しボタンを押したときに前記４つのメーク接点が接になる直前に該押しボタンの押し下げストロークを制限するストッパとして機能する突出ブロックが配置され、
前記押しボタンの中心軸線上に中心を有する一つの仮想矩形を、該仮想矩形の２組の対向辺の一方の組が前記十字形の二つの直交方向の一方に沿いかつ該仮想矩形の２組の対向辺の他方の組が前記十字形の二つの直交方向の他方に沿うように想定した場合に、前記突出ブロックには、該仮想矩形の４頂点にそれぞれ位置する４つの突出部が、該４つの突出部の対向面に対して、当該押しボタンスイッチ構造における等しい押し下げストロークを許容するように配置され、
該４つの突出部の各々と前記４つのメーク接点のうちの当該突出部に近接する２つとの距離が相異なるように形成された
押しボタンスイッチ構造。
【請求項２】
前記突出ブロックは、先端側に凹陥部を備えた４角柱形状を有し、該４角柱形状の該先端側の４隅が前記４つの突出部となるように該先端側の４つの縁線は中央部が端部より低いＵ字形状となるように形成されていることを特徴とする請求項１に記載の押しボタンスイッチ構造。
【請求項３】
前記突出ブロックは、前記仮想矩形の４頂点にそれぞれ位置し前記押しボタンの中心軸線と並行するように配置された４つの柱状体により形成されていることを特徴とする請求項１に記載の押しボタンスイッチ構造。
【請求項４】
前記仮想矩形が正方形であることを特徴とする請求項１乃至３のいずれかに記載の押しボタンスイッチ装置。
【発明の詳細な説明】
【０００１】
【発明の属する技術分野】
本発明は、電話機等の制御盤に配置される押しボタンスイッチ構造に関するものである。
【０００２】
【従来の技術】
例えば、卓上電話機などにおいては、１つの押しボタンスイッチで十字形に沿う４方向に４つの接点をそれぞれ具備し各接点に独立した接点機能が設定されたボタンを用いる構造が用いられている。
【０００３】
【発明が解決しようとする課題】
このような押しボタンスイッチでは、各接点はボタンのいずれの位置を押しても単一の接点のみがメークして独立した接点機能が発揮されることが期待されているのであるが、ボタンの中央もしくは周縁部を押下した場合に、複数の接点が同時メークすることがあり、通話及び機能設定不具合の原因となっていた。
【０００４】
本発明の目的は、このような従来の押しボタンスイッチ構造の問題に鑑み、通常の押しボタン操作では各々の接点が同時メークすることのない押しボタンスイッチ構造を得ることにある。
【０００５】
【課題を解決するための手段】
この目的を解決するために、本発明による押しボタンスイッチ構造は、一つの押しボタンに４つのメーク接点が十字形に沿う方向にそれぞれ配置された押しボタンスイッチ構造であって、
前記押しボタンの裏側には、該押しボタンを押したときに前記４つのメーク接点が接になる直前に該押しボタンの押し下げストロークを制限するストッパとして機能する突出ブロックが配置され、
前記押しボタンの中心軸線上に中心を有する一つの仮想矩形を、該仮想矩形の２組の対向辺の一方の組が前記十字形の二つの直交方向の一方に沿いかつ該仮想矩形の２組の対向辺の他方の組が前記十字形の二つの直交方向の他方に沿うように想定した場合に、前記突出ブロックには、該仮想矩形の４頂点にそれぞれ位置する４つの突出部が、該４つの突出部の対向面に対して、当該押しボタンスイッチ構造における等しい押し下げストロークを許容するように配置され、
該４つの突出部の各々と前記４つのメーク接点のうちの当該突出部に近接する２つとの距離が相異なるように構成されている。
前記突出ブロックは、先端側に凹陥部を備えた４角柱形状を有し、該４角柱形状の該先端側の４隅が前記４つの突出部となるように該先端側の４つの縁線は中央部が端部より低いＵ字形状となるように形成することができる。
また、前記突出ブロックは、前記仮想矩形の４頂点にそれぞれ位置し前記押しボタンの中心軸線と並行するように配置された４つの柱状体により形成することができる。
さらに、前記矩形は正方形に形成することができる。
【０００６】
このような構成によれば、ボタンは押下されたとき、先端でストップした後に４つの突出部がピボット支点となる回動作用を引き起こし、各々接点が同時メークすることのない機能を発揮することができる。
【０００７】
【発明の実施の形態】
図１は本発明の一実施例であって、１は押しボタン、２はキーの裏面突出ブロック、３〜６はシリコンゴム等などからなる接点スイッチを示している（ａ）（ｂ）。なお、各接点スイッチ３〜６においてハッチングで示す配線盤側の接点は図示を省略している。
ここで、Ｂ−Ｂ面に沿う断面図である（ｂ）に示すように、接点スイッチ３〜６のストロークＨとキー裏面の突出ブロック２のストロークＨ１において、Ｈ＞Ｈ１とすれば、押しボタン１の中央を押下した時、キー裏面の突出ブロック２の下端が同時に対向面に接するストッパとして作用し、接点スイッチ３〜６のいずれもメークすることはない。
また、（ｃ）はＣ−Ｃ面に沿う断面図である。
【０００８】
図２は、接点スイッチ３の上で押しボタン１が矢印Ａ１の方向に押下された場合のスイッチング動作を示す。ここで、図１（ｂ）に示すストロークＨ，Ｈ１と図１（ａ）に示すキー裏面の突出ブロック２の横幅Ｌ１を適切に設定することにより、例えば、接点３がメークした後にキー裏面突出２の周縁エッジ部ａ１がストッパとして作用し、接点４又は６の同時メークを防止することができる。この場合の設定条件の１例は、接点３についてみると、押しボタン１の接点５側の基部Ｏ５が押ボタン１の回動支点となるので、この回動支点Ｏ５と接点３，周縁エッジ部ａ１，押しボタン１の中心（接点４，６の位置に相当する）との各距離をそれぞれＬ３，Ｌ２ａ，Ｌ０としたとき、Ｈ０（Ｌａ／Ｌ０）＜Ｈ１＜Ｈ（Ｌ２ａ／Ｌ３）である。ここで、Ｈ０は接点４，６のストロークである。
なお、接点５についても同様である。
【０００９】
また、図３は接点スイッチ４の上で押しボタン１が矢印Ａ２の方向に押下された場合のスイッチング動作を示し、同様に図１（ｃ）に示す接点４のストロークＨ４及び図１（ａ）に示すキー裏面の突出ブロック２の奥行Ｌ２を適切に設定することで、接点４がメークした後にキー裏面の突出ブロック２の周縁エッジ部ａ２がストッパとして作用し、接点３又は５の同時メークを防止することができる。この場合の設定条件の１例は、接点４についてみると、押しボタン１の接点６側の基部Ｏ６が押しボタン１の回動支点となるので、この回動支点Ｏ６と接点４，周縁エッジ部ａ２，押しボタン１の中心（接点３，５の位置に相当する）との各距離をそれぞれＬ４，Ｌ２ａ，Ｌ０としたとき、Ｈ０（Ｌ２ａ／Ｌ０）＜Ｈ１＜Ｈ４（Ｌ２ａ／Ｌ０）である。ここで、Ｈ０は接点３，５のストロークである。
なお、接点６についても同様である。
【００１０】
さらに、図４は接点スイッチ３と接点スイッチ６の間を矢印Ａ３の方向に押下した場合のスイッチング動作を示す。ここで、押しボタン１は傾斜角θ１を維持しながら押下され、キー裏面の突出ブロック２の周縁エッジ部ａ１４がストッパとして作用し、且つ、θ１≦θ２とすることにより、キー裏面の突出ブロック２の周縁エッジ部ａ１４を支点とした回動作用を引き起こし、押しボタン１は接点３もしくは接点６のいずれかとメークするように誘導される。なお、他接点間の押下についても同様の作用として機能する。
【００１１】
上述のように、押しボタン１はいずれの部位を押下された場合においても、キー裏面の突出ブロック２の周縁エッジ部ａ１〜ａ２〜ａ３〜ａ４の作用により接点が同時メークすることなく機能することができる。
【００１２】
以上の説明から理解されるように、本発明による押しボタンスイッチ構造は、一つの押しボタン１に４つのメーク接点３，４，５，６が十字形に沿う方向にそれぞれ配置された押しボタンスイッチ構造であって、その押しボタン１の裏側には、押しボタン１を押したときに４つのメーク接点３，４，５，６が接になる直前に押しボタン１の押し下げストロークを制限するストッパとして機能する突出ブロック２が配置されている。
図５，図６は、この突出ブロックの詳細構造例を示す押しボタン１の裏面図であって、押しボタン１の中心軸線１ｂ上に中心を有する一つの仮想矩形２ｃを、この仮想矩形２ｃの２組の対向辺の一方の組が前記の十字形の二つの直交方向の一方に沿いかつ仮想矩形２ｃの２組の対向辺の他方の組が前記の十字形の二つの直交方向の他方に沿うように想定した場合に、その突出ブロック２には、この仮想矩形２ｃの４頂点にそれぞれ位置する４つの突出部が、その４つの突出部の対向面に対して、当該押しボタンスイッチ構造における等しい押し下げストロークを許容するように配置されている。
図５では、４つの側板２ａを箱形に組合せて形成される４つのエッジ部ａ１，ａ２，ａ３，ａ４の４頂点ａ１２，ａ１４，ａ２３，ａ３４が４つの突出部を形成している。
また図６では、直方体状の突出ブロック台２ｂの４隅に４つの突出部ｂ１，ｂ２，ｂ３，ｂ４が配置されるように形成されている。
このような４つの突出部（ａ１２，ａ１４，ａ２３，ａ３４，又は、ｂ１，ｂ２，ｂ３，ｂ４の各々と４つのメーク接点３，４，５，６のうちの当該突出部に近接する２つ（３と４，３と６，４と５，又は５と６）との距離が相異なるように形成されている。
【００１３】
前記のように突出ブロック２は、図５に示すものでは先端側に凹陥部を備えた４角柱形状を有し、その該４角柱形状の当該先端側の４隅が前記４つの突出部となるように当該先端側の４つの縁線は中央部が端部より低いＵ字形状となるように形成することができる。
また、突出ブロック２は、図６に示すように仮想矩形２ｃの４頂点にそれぞれ位置し押しボタンの中心軸線１ｂと並行するように配置された４つの柱状体ｂ１，ｂ２，ｂ３，ｂ４により形成することができる。
仮想矩形２ｃが正方形である場合には、前記の設定条件の設定が容易である。
【００１４】
【発明の効果】
以上詳細に説明したように、本発明によれば、複数の接点を有する押しボタンスイッチによる機能障害を防止し、確実な操作性を確保することがてきる。
【図面の簡単な説明】
【図１】本発明による押しボタンスイッチ構造の一実施例の構造を示す平面図（ａ）、Ｂ−Ｂ面に沿う縦断面図（ｂ）、及び動作を説明するためのＣ−Ｃ面に沿う縦断面図（ｃ）である。
【図２】本発明による押しボタンスイッチ構造のスイッチ動作を示すＢ−Ｂ面に沿う縦断面図である。
【図３】本発明による押しボタンスイッチ構造のスイッチ動作を示すＣ−Ｃ面に沿う縦断面図である。
【図４】本発明による押しボタンスイッチ機能のスイッチ動作を説明するための側面側縦断面図である。
【図５】本発明による押しボタンスイッチ構造の要部をなす突出ブロックの一構造例を示す裏面図である。
【図６】本発明による押しボタンスイッチ構造の要部をなす突出ブロックの他の構造例を示す裏面図である。
【符号の説明】
１　押しボタン
１ａ　押しボタンの基板
１ｂ　押しボタンの中心軸
２　キー裏面の突出ブロック
２ｂ　突出ブロック台
２ｃ　仮想矩形
３，４，５，６　接点スイッチ
ａ１，ａ２，ａ３，ａ４　周縁エッジ部
ｂ１，ｂ２，ｂ３，ｂ４　突出部
Ｏ５，Ｏ６　押しボタン１の回動支点
【図１】
2004063298.tif 000003
【図２】
2004063298.tif 000004
【図３】
2004063298.tif 000005
【図４】
2004063298.tif 000006
【図５】
2004063298.tif 000007
【図６】
2004063298.tif 000008